(57)【特許請求の範囲】
【請求項１】
断熱壁とその両側に設けられた側板とにより、前面に開口する陳列室を構成して成るショーケースにおいて、
前記両側板の前端には、前記陳列室の前面開口両側に位置してシェードを取り付け、このシェード内に蛍光灯を配設し、前記シェードの上端は上方に開放させると共に、このシェード上端には内部中空の飾り部材を設け、この飾り部材の下端を前記シェード内に連通させ、且つ、上端は上方に開放させたことを特徴とするショーケース。
【請求項２】
断熱壁とその両側に設けられた側板とにより、前面に開口する陳列室を構成して成るショーケースにおいて、
前記両側板の前端には、前記陳列室の前面開口両側に位置してシェードを取り付け、このシェード内に蛍光灯を配設し、前記シェードの上端は上方に開放させると共に、前記側板内面に凹所を形成し、この凹所内に鏡を配設し、前記シェードの基部により前記鏡を凹所内に保持したことを特徴とするショーケース。
【請求項３】
シェード上端には内部中空の飾り部材を設け、この飾り部材の下端を前記シェード内に連通させ、且つ、上端は上方に開放させたことを特徴とする請求項２のショーケース。
【請求項４】
断熱壁とその両側に設けられた側板とにより、前面に開口する陳列室を構成して成るショーケースにおいて、
前記両側板の前端には、前記陳列室の前面開口両側に位置してシェードを取り付け、このシェード内に蛍光灯を配設し、前記シェードの上端は上方に開放させると共に、前記側板に取り付けられ、前記蛍光灯の下端に接続されたソケットの溝に係合する下部保持具と、前記側板に取り付けられ、前記蛍光灯の上端に接続されたソケットの奥側に宛われる上部後保持具と、この上部後保持具に着脱自在に取り付けられ、前記蛍光灯の上端のソケットの手前側に宛われる上部前保持具とを備えたことを特徴とするショーケース。
【発明の詳細な説明】
【０００１】
【発明の属する技術分野】
本発明は、断熱壁とその両側に設けられた側板とにより、前面に開口する陳列室を構成して成るショーケースに関するものである。
【０００２】
【従来の技術】
従来よりこの種のショーケースは、特開平５−３１７１４６号公報で示される如く、陳列室の前面開口の両側縁に蛍光灯を立設し、この蛍光灯によって陳列室内や開口周辺を照明していた。
【０００３】
この蛍光灯の外側には、蛍光灯を陳列室内の冷気から遮断するためのシェードが設けられている。このシェードは、前端に形成された係合部を、側板に取り付けられた側板トリムの係合爪に係合すると共に、後部をクリップによって固定することにより側板トリムに取り付けられ、蛍光灯を上下方向に渡って被覆している。また、このシェードの上下端は、シェードカバーによって閉塞されていた。
【０００４】
【発明が解決しようとする課題】
しかしながら、係る従来の構造では上述の如く上下端をシェードカバーによって閉塞していたため、蛍光灯の発熱でシェード内の温度が上昇し、蛍光灯及びシェードが異常過熱する。これにより、過熱したシェードを顧客が触った場合に違和感が生ずると共に、蛍光灯自体も異常過熱することにより寿命が低下する問題があった。
【０００５】
そこで、本発明は蛍光灯の発熱を円滑に放散させ、シェード及び蛍光灯の異常過熱を未然に回避することができるショーケースを提供することを目的とするものである。
【０００６】
【課題を解決するための手段】
請求項１の発明のショーケースは、断熱壁とその両側に設けられた側板とにより、前面に開口する陳列室を構成して成るものであって、両側板の前端には、陳列室の前面開口両側に位置してシェードを取り付け、このシェード内に蛍光灯を配設し、シェードの上端は上方に開放させると共に、このシェード上端には内部中空の飾り部材を設け、この飾り部材の下端をシェード内に連通させ、且つ、上端は上方に開放させたことを特徴とする。
【０００７】
請求項１の発明によれば、断熱壁とその両側に設けられた側板とにより、前面に開口する陳列室を構成して成るショーケースにおいて、両側板の前端には、陳列室の前面開口両側に位置してシェードを取り付け、このシェード内に蛍光灯を配設したので、開口両側の蛍光灯の光の拡散をシェードによって抑制し、陳列室内及び開口近傍両側の照明効果を著しく向上させることが可能となる。また、シェード上端は上方に開放させたので、蛍光灯の発熱により温度上昇したシェード内の空気を、上方に放散させることができるようになる。これにより、シェード及び蛍光灯の異常過熱を未然に回避することができるようになるものである。
【０００８】
特に、シェード上端には内部中空の飾り部材を設け、この飾り部材の下端をシェード内に連通させ、且つ、上端は上方に開放させたので、シェード上方の外観を向上させつつ、蛍光灯の発熱により温度上昇したシェード内の空気を、飾り部材内を通して円滑に上方に放散させることができるようになる。
【０００９】
請求項２の発明のショーケースは、断熱壁とその両側に設けられた側板とにより、前面に開口する陳列室を構成して成るものであって、両側板の前端には、陳列室の前面開口両側に位置してシェードを取り付け、このシェード内に蛍光灯を配設し、シェードの上端は上方に開放させると共に、側板内面に凹所を形成し、この凹所内に鏡を配設し、シェードの基部により鏡を凹所内に保持したことを特徴とする。
【００１０】
請求項２の発明によれば、断熱壁とその両側に設けられた側板とにより、前面に開口する陳列室を構成して成るショーケースにおいて、両側板の前端には、陳列室の前面開口両側に位置してシェードを取り付け、このシェード内に蛍光灯を配設したので、開口両側の蛍光灯の光の拡散をシェードによって抑制し、陳列室内及び開口近傍両側の照明効果を著しく向上させることが可能となる。また、シェード上端は上方に開放させたので、蛍光灯の発熱により温度上昇したシェード内の空気を、上方に放散させることができるようになる。これにより、シェード及び蛍光灯の異常過熱を未然に回避することができるようになるものである。特に、側板内面に凹所を形成し、この凹所内に鏡を配設すると共に、シェードの基部により鏡を凹所内に保持したので、格別な保持部材を用いること無く、シェードによって鏡を凹所内に保持することができるようになり、部品点数の削減によるコストの低減を図ることができるようになるものである。
【００１１】
請求項３の発明のショーケースは、上記においてシェード上端には内部中空の飾り部材を設け、この飾り部材の下端を前記シェード内に連通させ、且つ、上端は上方に開放させたことを特徴とする。
【００１２】
請求項３の発明によれば、上記に加えてシェード上端には内部中空の飾り部材を設け、この飾り部材の下端をシェード内に連通させ、且つ、上端は上方に開放させたので、シェード上方の外観を向上させつつ、蛍光灯の発熱により温度上昇したシェード内の空気を、飾り部材内を通して円滑に上方に放散させることができるようになる。
【００１３】
請求項４の発明のショーケースは、断熱壁とその両側に設けられた側板とにより、前面に開口する陳列室を構成して成るものであって、両側板の前端には、陳列室の前面開口両側に位置してシェードを取り付け、このシェード内に蛍光灯を配設し、シェードの上端は上方に開放させると共に、側板に取り付けられ、蛍光灯の下端に接続されたソケットの溝に係合する下部保持具と、側板に取り付けられ、蛍光灯の上端に接続されたソケットの奥側に宛われる上部後保持具と、この上部後保持具に着脱自在に取り付けられ、蛍光灯の上端のソケットの手前側に宛われる上部前保持具とを備えたことを特徴とする。
【００１４】
請求項４の発明によれば、断熱壁とその両側に設けられた側板とにより、前面に開口する陳列室を構成して成るショーケースにおいて、両側板の前端には、陳列室の前面開口両側に位置してシェードを取り付け、このシェード内に蛍光灯を配設したので、開口両側の蛍光灯の光の拡散をシェードによって抑制し、陳列室内及び開口近傍両側の照明効果を著しく向上させることが可能となる。また、シェード上端は上方に開放させたので、蛍光灯の発熱により温度上昇したシェード内の空気を、上方に放散させることができるようになる。これにより、シェード及び蛍光灯の異常過熱を未然に回避することができるようになるものである。特に、蛍光灯の下端に接続されたソケットの溝に係合する下部保持具を側板に取り付け、蛍光灯の上端に接続されたソケットの奥側に宛われる上部後保持具を側板に取り付けると共に、この上部後保持具には蛍光灯の上端のソケットの手前側に宛われる上部前保持具を着脱自在に取り付けたので、従来の如きクリップを用いること無く、下部保持具及び上部前後保持具によって、交換可能に、且つ、安定的に蛍光灯を側板に取り付けることができるようになる。
【００１５】
【発明の実施の形態】
以下、図面に基づいて本発明の実施形態を詳述する。図１は本発明を適用したショーケースの実施例としての低温ショーケース１の斜視図である。この低温ショーケース１は、例えばスーパーマーケットやコンビニエンスストアなどに設置されてドリンク剤などを陳列するオープンショーケースである。
【００１６】
図１に示す如くこの低温ショーケース１は、断面略コ字状の断熱壁２と、この断熱壁２の両側に取り付けられた側板３、３とから構成されている。断熱壁２の内側には間隔を存して仕切板４が取り付けられ、この仕切板４と断熱壁２間には図示しない冷気ダクトが構成されている。
【００１７】
仕切板４の下端前方には底板７が断熱壁２の底壁との間にダクト用の間隔を存して取り付けられており、これら仕切板４及び底板７の内側を陳列室８としている。また、陳列室８内には上下方向に複数段に渡って棚１７・・が設けられている。更に、側板３、３の陳列室８側の面には、陳列室８内に陳列された商品等を写し出すための鏡６、６が取り付けられている。この場合、側板３には鏡６を取り付けるためにそれの厚さ及び寸法と略同一の深さ及び寸法の凹所１０（図３に示す。図４及び図５においては省略している。）が形成されている。
【００１８】
そして、陳列室８の前面開口９の上縁には図示しない吐出口が形成されており、この吐出口は前記冷気ダクトと連通している。そして、開口９の下縁にはこれも図示しない吸込口が形成されている。
【００１９】
一方、底板７下側の前記冷気ダクト内には、冷却装置の図示しない冷却器と送風機が設けられている。そして、送風機が運転されると、陳列室８内の冷気は前記吸込口から冷気ダクト内に吸い込まれ、冷却器と熱交換した後、冷気ダクト内を上昇して前記吐出口から開口９に向かって吐出される。そして、吸込口から吸い込まれた冷気は再び前記送風機によって加速される。これにより、開口９には冷気エアーカーテンが形成され、このエアーカーテンの一部の冷気が陳列室８内に循環されて陳列室８内は冷却される。
【００２０】
他方、前記陳列室８の前面開口９の下部には、左右に渡って前方に突出したテーブル５が取り付けられている。また、断熱壁２の底壁下方には図示しない機械室が形成されており、この機械室内には前記冷却装置を構成する圧縮機や、凝縮器、凝縮器用送風機が収納されている。そして、この機械室の前面開口は、外気吸込口１３を形成した前面パネル１４によって開閉自在に閉塞されている。
【００２１】
次に、図２は低温ショーケース１の一部透視斜視図、図３は低温ショーケース１側部の平断面図を示している。側板３、３の前端にはシェード４０が取り付けられ、開口９の両側において上下に渡って設けられている。このシェード４０はアクリル乳白半透明板などからなり、図３に示す如く所定曲率で湾曲して形成された外面部４２と、側板３に取り付けるための基部４３とから構成され、上下端は開放している。また、外面部４２には光を拡散させるための筋が複数突設されている。そして、この外面部４２と基部４３とにより囲繞された空間に蛍光灯４１が挿入されることになり、また、この空間の陳列室８側には蛍光灯４１を挿脱するための開口４４が形成されている。
【００２２】
また、前記シェード４０の基部４３は、側板３の前端及び陳列室８側前部に沿って断面略Ｌ字状に形成された取付部４５と、この取付部４５と共にシェード４０を側板３の外側前部に取り付けるための支持部４６とから構成されている。また、取付部４５には、シェード４０を側板３にネジ止めするための孔４７が形成されいている。
【００２３】
そして、シェード４０の上端には、内部中空の飾り部材５０が取り付けられ、これによって、シェード４０の上部の外観を向上させている。この飾り部材５０は下端がシェード４０内の空間と連通していると共に、上端は低温ショーケース１の上方に開放されている。
【００２４】
次に、図４乃至図７を参照して蛍光灯４１の取付装置について説明する。図４はシェード４０の上部に対応する側板３前端の平断面図、図５はシェード４０の下部に対応する側板３前端の平断面図、図６は蛍光灯４１上部の取付構造を示す分解斜視図、図７は蛍光灯４１下部の取付構造を示す分解斜視図である。
【００２５】
蛍光灯４１の上部は、図４及び図６に示す如く上部前保持具５２と上部後保持具５１とにより側板３に固定される。上部後保持具５１は鋼板を折曲して成り、この上部後保持具５１には、本体５６の一端が上方に略直角に折曲されて係合面５４が形成されていると共に、本体５６の他端及び他端側の両側部に渡って下方に略直角に折曲された保持面５５が形成されている。
【００２６】
そして、本体５６の一側面には図６においては図示しない固定部６３が形成されており、この固定部６３は、前記シェード４０の取付部４５と共にネジ６４にて側板３に共締め固定される。このとき、シェード４０の基部４３の取付部４５は、側板３の凹所１０に収納された鏡６の端部に重複する延在しており、ネジ６４にてシェード４０を固定することにより、鏡６の前部も保持される。
【００２７】
これにより、格別な保持部材を用いること無く、シェード４０によって鏡６を凹所１０内に保持することができるようになり、部品点数の削減によるコストの低減を図ることができるようになる。
【００２８】
また、係合面５４の中央には、上下に長く形成された長孔５７が形成されている。更に、本体５６の係合面５４と隣接した部分には、左右に渡って長く開口５８が形成されている。
【００２９】
上部前保持具５２も鋼板を折曲して成り、この上部前保持具５２には、本体５９の一端が上方に略直角に折曲されて係合面６０が形成されていると共に、本体５９の他端が下方に略直角に折曲された保持面６１が形成されている。そして、係合面６０の中央には、ねじ切りされたネジ孔６２が形成されている。尚、この上部前保持具５２の幅寸法は、前記上部後保持具５１の開口５８内に挿脱自在に、且つ、略キッチリと入る寸法とされている。
【００３０】
そして、これら上部後保持具５１及び上部前保持具５２は、上部後保持具５１の開口５８に上部前保持具５２の本体５９が前側となるように係合面６０を挿入する。そして、上部後保持具５１の係合面５４と上部前保持具５２の係合面６０を重合させ、上部前保持具５２側から化粧ビス６５にて仮止めをする。尚、図４においては化粧ビス６５は省略している。
【００３１】
一方、蛍光灯４１の下部は、図５及び図７に示す如く下部保持具５３により側板３に固定される。この下部保持具５３は、シェード４０下部内側と略同一形状に形成された側部６６と、この側部６６の端部と一連して形成されると共に、側板３前面に沿うように形成され、下端が直角に折曲されて底面６８を構成する本体６７と、係る底面６８の端部から底面６８の中央にかけて垂直に立設して形成され、前記蛍光灯４１の下端に取り付けられたソケット３９の溝３８内に進入して保持するための突条部６９と、本体６７の側端部に側板３の側面に沿うように略直角に曲折して形成された取付部７０とから構成されている。
【００３２】
そして、この下部保持具５３は、前記シェード４０の取付部４５と共にネジ７１にて側板３に共締め固定される。このとき、シェード４０の取付部４５は、上部後保持具５１の取付時と同様に側板３の凹所１０に収納された鏡６の端部にも延在して重合するため、ネジ７１にてシェード４０を固定することにより、鏡６も保持される。
【００３３】
以上の構成により、蛍光灯４１の取付手順を説明する。先ずはじめに、蛍光灯４１の下端にソケット３９を取り付ける。そして、蛍光灯４１の下端を開口４４からシェード４０内に挿入し、下端に取り付けられたソケット３９の溝３８を下部保持具５３の突条部６９に係合させる。
【００３４】
次いで、蛍光灯４１の上端にソケット３７を取り付ける。そして、蛍光灯４１の上端を開口４４からシェード４０内に挿入し、先程の上部後保持具５１と上部前保持具５２の化粧ビス６５による仮止めを緩め、蛍光灯４１のソケット３７を上部後保持具５１の保持面５５の奥側に宛う。この状態で化粧ビス６５は、緩められていることから化粧ビス６５が長孔５７を上下に移動可能となり、上部前保持具５２は、上下に移動可能とされ、蛍光灯４１のソケット３７に宛い易い状態となる。
【００３５】
そして、化粧ビス６５を締め付けることにより、化粧ビス６５が長孔５７内で位置決めされ、上部前保持具５２が固定され、係る上部後保持具５１と上部前保持具５２に狭持されて蛍光灯４１のソケット３７は固定される。これにより、蛍光灯４１は、シェード４０内に保持される。尚、蛍光灯４１を取り外す際には、上記手順と逆の手順で行うことにより取り外すことができる。
【００３６】
以上の構成により、従来の如きクリップを用いること無く、下部保持具５３及び上部前後保持具５１、５２によって、交換可能に、且つ、安定的に蛍光灯４１を側板３に取り付けることができる。
【００３７】
そして、蛍光灯４１が点灯されて発光するが、蛍光灯４１はシェード４０内に配設されるので、開口９両側の蛍光灯４１の光の拡散をシェード４０によって抑制し、陳列室８内及び開口９近傍両側の照明効果を著しく向上させることができる。
【００３８】
また、蛍光灯４１が点灯されると発熱を生じるが、シェード４０上端には内部中空の飾り部材５０が取り付けられており、この飾り部材５０の下端は、シェード４０内に連通されて、上端は上方に開放されているため、蛍光灯４１の発熱により温度上昇したシェード４０内の空気は、飾り部材５０内を通って円滑に上方に放散されるようになる。これにより、シェード４０及び蛍光灯４１の異常過熱を未然に回避することができるようになる。
【００３９】
【発明の効果】
以上詳述した如く請求項１の発明によれば、断熱壁とその両側に設けられた側板とにより、前面に開口する陳列室を構成して成るショーケースにおいて、両側板の前端には、陳列室の前面開口両側に位置してシェードを取り付け、このシェード内に蛍光灯を配設したので、開口両側の蛍光灯の光の拡散をシェードによって抑制し、陳列室内及び開口近傍両側の照明効果を著しく向上させることが可能となる。また、シェード上端は上方に開放させたので、蛍光灯の発熱により温度上昇したシェード内の空気を、上方に放散させることができるようになる。これにより、シェード及び蛍光灯の異常過熱を未然に回避することができるようになるものである。
【００４０】
特に、シェード上端には内部中空の飾り部材を設け、この飾り部材の下端をシェード内に連通させ、且つ、上端は上方に開放させたので、シェード上方の外観を向上させつつ、蛍光灯の発熱により温度上昇したシェード内の空気を、飾り部材内を通して円滑に上方に放散させることができるようになる。
【００４１】
請求項２の発明によれば、断熱壁とその両側に設けられた側板とにより、前面に開口する陳列室を構成して成るショーケースにおいて、両側板の前端には、陳列室の前面開口両側に位置してシェードを取り付け、このシェード内に蛍光灯を配設したので、開口両側の蛍光灯の光の拡散をシェードによって抑制し、陳列室内及び開口近傍両側の照明効果を著しく向上させることが可能となる。また、シェード上端は上方に開放させたので、蛍光灯の発熱により温度上昇したシェード内の空気を、上方に放散させることができるようになる。これにより、シェード及び蛍光灯の異常過熱を未然に回避することができるようになるものである。特に、側板内面に凹所を形成し、この凹所内に鏡を配設すると共に、シェードの基部により鏡を凹所内に保持したので、格別な保持部材を用いること無く、シェードによって鏡を凹所内に保持することができるようになり、部品点数の削減によるコストの低減を図ることができるようになるものである。
【００４２】
請求項３の発明によれば、上記に加えてシェード上端には内部中空の飾り部材を設け、この飾り部材の下端をシェード内に連通させ、且つ、上端は上方に開放させたので、シェード上方の外観を向上させつつ、蛍光灯の発熱により温度上昇したシェード内の空気を、飾り部材内を通して円滑に上方に放散させることができるようになる。
【００４３】
請求項４の発明によれば、断熱壁とその両側に設けられた側板とにより、前面に開口する陳列室を構成して成るショーケースにおいて、両側板の前端には、陳列室の前面開口両側に位置してシェードを取り付け、このシェード内に蛍光灯を配設したので、開口両側の蛍光灯の光の拡散をシェードによって抑制し、陳列室内及び開口近傍両側の照明効果を著しく向上させることが可能となる。また、シェード上端は上方に開放させたので、蛍光灯の発熱により温度上昇したシェード内の空気を、上方に放散させることができるようになる。これにより、シェード及び蛍光灯の異常過熱を未然に回避することができるようになるものである。特に、蛍光灯の下端に接続されたソケットの溝に係合する下部保持具を側板に取り付け、蛍光灯の上端に接続されたソケットの奥側に宛われる上部後保持具を側板に取り付けると共に、この上部後保持具には蛍光灯の上端のソケットの手前側に宛われる上部前保持具を着脱自在に取り付けたので、従来の如きクリップを用いること無く、下部保持具及び上部前後保持具によって、交換可能に、且つ、安定的に蛍光灯を側板に取り付けることができるようになる。
【図面の簡単な説明】
【図１】  本発明を適用した低温ショーケースの斜視図である。
【図２】  図１の低温ショーケースの一部透視斜視図である。
【図３】  図１の低温ショーケースの側板前端の平断面図である。
【図４】  シェード上部に対応する側板前端の平断面図である。
【図５】  シェード下部に対応する側板前端の平断面図である。
【図６】  蛍光灯上部の取付構造を示す分解斜視図である。
【図７】  蛍光灯下部の取付構造を示す分解斜視図である。
【符号の説明】
１  低温ショーケース
３  側板
６  鏡
８  陳列室
９  前面開口
１０  凹所
３７、３９  ソケット
３８  溝
４０  シェード
４１  蛍光灯
４２  外面部
４３  基部
４４  開口
４５、７０  取付部
５０  飾り部材
５１  上部後保持具
５２  上部前保持具
５３  下部保持具
５４、６０  係合面
５５、６１  保持面
５６、５９、６７  本体
５７  長孔
５８  開口
６２  ネジ孔
６３  固定部
６４、７１  ネジ
６５  化粧ビス
６６  側部
６８  底面
６９  突条部
【図１】
0003802271.tif 000002
【図２】
0003802271.tif 000003
【図３】
0003802271.tif 000004
【図４】
0003802271.tif 000005
【図５】
0003802271.tif 000006
【図６】
0003802271.tif 000007
【図７】
0003802271.tif 000008